(57)【要約】【課題】複数の系統の受信機Ｃ１、Ｃ２、Ｄ１、Ｄ２を有し、同一の信号が分配された複数の信号の各々を各系統の受信機により受信して、これら複数の系統の受信信号の中から１つの系統の受信信号を選択するように切り替える信号伝送装置で、選択系の機器の異常が発生したようなときにおいても、選択系から予備系への切り替えをシームレスに行う。【解決手段】クロック情報受信手段１２が当該信号伝送装置以外の機器５１から送信されるクロックに関する情報を受信し、クロック信号生成手段１２、１３が受信された情報に基づいてクロック信号ｂ４、ｂ５を生成し、切替手段２１が生成されたクロック信号を用いて複数の系統の受信信号の中から１つの系統の受信信号を選択するように切り替える。【選択図】  図１
2009105588.tif 000002
【特許請求の範囲】
【請求項１】
複数の系統の受信機を有し、同一の信号が分配された複数の信号の各々を各系統の受信機により受信して、これら複数の系統の受信信号の中から１つの系統の受信信号を選択するように切り替える信号伝送装置において、
当該信号伝送装置以外の機器から送信されるクロックに関する情報を受信するクロック情報受信手段と、
前記クロック情報受信手段により受信された情報に基づいてクロック信号を生成するクロック信号生成手段と、
前記クロック信号生成手段により生成されたクロック信号を用いて、前記複数の系統の受信信号の中から１つの系統の受信信号を選択するように切り替える切替手段と、
を備えたことを特徴とする信号伝送装置。
【発明の詳細な説明】
【技術分野】
【０００１】
本発明は、例えば、受信された複数の系統の信号のうちで１つの系統（選択系）の信号を出力するように切り替える信号伝送装置に関し、特に、選択系の機器の異常が発生したようなときにおいても、選択系から予備系への切り替えをシームレスに行う信号伝送装置に関する。
【背景技術】
【０００２】
例えば、地上デジタルテレビジョン放送のシステムでは、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式などにより、デジタル放送信号を伝送することが行われる。
【０００３】
このようなシステムでは、放送局（演奏所）或いは他の送信所から或る送信所へ送られるデジタル放送信号を伝送する信号伝送装置（例えば、デジタルデータの送受信装置）が設けられる。
このような信号伝送装置の受信装置では、デジタル放送信号を予備の目的で設けられた２系統以上の受信機（例えば、受信変換器や復調器）により受信して、系切替装置（例えば、切替器）により各系統の受信機からの出力信号のうちで１つの系統を選択する構成が検討等されている。
【０００４】
図２には、デジタルデータ送受信装置の構成例を示してある。
なお、説明の便宜上から、後述する実施例で参照する図１に示されるものと同様な処理部や信号については、図２では同一の符号を付してあり、ここでは詳しい説明を省略するが、本発明を不要に限定する意図は無い。
【０００５】
図２に示されるデジタルデータ送受信装置における動作を説明する。
放送局（演奏所）では、伝送信号源１からの信号を分配器２により分配して、複数（本例では、２つ）の系統の送信機（本例では、変調器Ａ１、Ａ２や送信変換器Ｂ１、Ｂ２）により送信する。伝送信号源１は、ＧＰＳ（Ｇｌｏｂａｌ  Ｐｏｓｉｔｉｏｎｉｎｇ  Ｓｙｓｔｅｍ）５１に同期したＲｂ（ルビジウム）発振器３からの基準信号ａ１を受けて、信号を発生する。
【０００６】
送信所では、放送局（演奏所）からの複数の系統の信号を複数（本例では、２つ）の系統の受信機（本例では、受信変換器Ｃ１、Ｃ２や復調器Ｄ１１、Ｄ１２）により受信する。各復調器Ｄ１１、Ｄ１２から切替部２１へ復調結果の信号としてデータストリーム（ＴＳ）ｂ１、ｂ２とクロック信号（ＣＬＫ）ｂ１１、ｂ１２が出力される。切替部２１は、制御部２３により制御されて、複数の系統のうちで選択された１つの系統（選択系）の復調器からの信号（本例では、データストリーム及びクロック信号）を出力するように切り替えを行う。選択されなかった系統は、予備の系統（予備系）となる。
【０００７】
【特許文献１】特開２００１−１８９６５７号公報
【発明の開示】
【発明が解決しようとする課題】
【０００８】
しかしながら、図２に示されるようなデジタルデータ送受信装置では、例えば、選択系の機器の異常が発生して、クロック信号の同期が外れたような場合には、それが原因で、切替部２１の内部にあるデータ保持メモリ３１のデータ読み出し位置が変動してしまう。この結果、切替器１１からの出力信号に遅延変動が発生してしまう場合や、異常が発生した選択系から正常な予備系への切り替えをシームレスに行うことができない場合が生じて、後段の装置（本例では、放送装置４１や中継装置４２）の動作が破綻して、放送事故につながるようなことが考えられた。
【０００９】
本発明は、このような従来の事情に鑑み為されたもので、例えば、複数の系統を用いて信号を伝送し、受信された複数の系統の信号のうちで１つの系統（選択系）の信号を出力するように切り替える構成において、選択系の機器の異常が発生したようなときにおいても、選択系から予備系への切り替えをシームレスに行うことができる信号伝送装置を提供することを目的とする。
【課題を解決するための手段】
【００１０】
上記目的を達成するため、本発明では、複数の系統の受信機を有し、同一の信号が分配された複数の信号の各々を各系統の受信機により受信して、これら複数の系統の受信信号の中から１つの系統の受信信号を選択するように切り替える信号伝送装置において、次のような構成とした。
すなわち、クロック情報受信手段が、当該信号伝送装置以外の機器から送信されるクロックに関する情報を受信する。クロック信号生成手段が、前記クロック情報受信手段により受信された情報に基づいて、クロック信号を生成する。切替手段が、前記クロック信号生成手段により生成されたクロック信号を用いて、前記複数の系統の受信信号の中から１つの系統の受信信号を選択するように切り替える。
【００１１】
従って、例えば、複数の系統を用いて信号を伝送し、受信された複数の系統の信号のうちで１つの系統（選択系）の信号を出力するように切り替える構成において、選択系の機器の異常が発生したようなときにおいても、選択系から予備系への切り替えをシームレスに行うことができる。
【００１２】
ここで、複数の系統の数としては、２つ以上の種々な数が用いられてもよい。
また、受信機としては、例えば、受信変換器（例えば、周波数変換器）や復調器を用いて構成することができる。
また、複数の系統の受信信号の中から１つの系統の受信信号を選択する場合における受信信号としては、例えば、受信信号そのものが用いられてもよく、或いは、受信信号に含まれるデータ（例えば、データストリーム）のように、受信信号の一部が用いられてもよい。
【００１３】
また、信号伝送装置以外の機器としては、種々な機器が用いられてもよく、例えば、ＧＰＳの機器（例えば、ＧＰＳ衛星）などを用いることができる。
また、クロックに関する情報としては、種々な情報が用いられてもよく、例えば、クロック信号を生成するための基準となるような情報が用いられ、具体例として、信号の送信側との間でクロックの同期（例えば、周波数の同期）を確保するために用いることができるような情報が用いられる。
また、クロック信号は、例えば、受信信号に含まれるデータ（例えば、データストリーム）をメモリに保持してから読み出すような場合に、データの読み出し位置（例えば、読み出しのタイミング）を決めるために用いられる。
【発明の効果】
【００１４】
以上説明したように、本発明に係る信号伝送装置によると、例えば、複数の系統を用いて信号を伝送し、受信された複数の系統の信号のうちで１つの系統（選択系）の信号を出力するように切り替える構成において、選択系の機器の異常が発生したようなときにおいても、選択系から予備系への切り替えをシームレスに行うことができる。
【発明を実施するための最良の形態】
【００１５】
本発明に係る実施例を図面を参照して説明する。
図１には、本発明の一実施例に係る地上デジタルテレビジョン放送システムのデジタルデータ送受信装置の構成例を示してある。
本例では、放送局（演奏所）から送信所へ伝送するデジタル放送信号を、予備の目的で設けられた複数（本例では、２つ）の系統の信号に分配して伝送する。
【００１６】
放送局（演奏所）には、Ｒｂ（ルビジウム）発振器３と、伝送信号源１と、分配器２と、２つの系統のそれぞれ毎に設けられる変調器Ａ１、Ａ２及び送信変換器Ｂ１、Ｂ２が備えられている。
送信所には、２つの系統のそれぞれ毎に設けられる受信変換器Ｃ１、Ｃ２及び復調器Ｄ１、Ｄ２と、Ｒｂ発振器１２と、クロック変換器１３と、切替器１１が備えられている。また、放送装置４１と、中継装置４２が備えられている。
切替器１１には、データ保持メモリ３１を有する切替部２１と、分配部２２と、制御部２３が備えられている。
また、本例では、放送局（演奏所）や送信所において、ＧＰＳ５１を利用する。
【００１７】
本例の装置において行われる動作の一例を示す。
放送局（演奏所）において行われる動作について説明する。
Ｒｂ発振器３は、ＧＰＳ５１（例えば、ＧＰＳ衛星）から無線により送信された信号を受信して、当該受信信号に同期した（ＧＰＳ５１のクロックに同期した）基準信号ａ１を伝送信号源１へ出力する。
伝送信号源１は、Ｒｂ発振器３からの基準信号ａ１を受信して、当該受信信号（本例では、その周波数）に基づいて、信号（本例では、演奏所等で製作された放送プログラムの信号）を発生して分配器２へ出力する。
【００１８】
分配器２は、伝送信号源１から入力された信号を複数の系統の送信機（本例では、変調器Ａ１、Ａ２や送信変換器Ｂ１、Ｂ２）と同数の信号（本例では、２つの信号）に分配して、分配した各信号（伝送信号）ａ２、ａ３を各系統の変調器Ａ１、Ａ２へ出力する。
各系統の変調器Ａ１、Ａ２は、分配器２から入力された伝送信号ａ２、ａ３を変調して、当該変調結果の信号を各系統の送信変換器Ｂ１、Ｂ２へ出力する。
各系統の送信変換器Ｂ１、Ｂ２は、各系統の変調器Ａ１、Ａ２から入力された信号を周波数変換（アップコンバート）して、当該周波数変換後の信号を送信所に設けられた各系統の受信機（本例では、受信変換器Ｃ１、Ｃ２や復調器Ｄ１、Ｄ２）に対して送信する。なお、放送局（演奏所）から送信所への伝送（通信）は、有線で行われてもよく、或いは、無線で行われてもよい。
【００１９】
送信所において行われる動作について説明する。
各系統の受信変換器Ｃ１、Ｃ２は、放送局（演奏所）に設けられた各系統の送信変換器Ｂ１、Ｂ２から送信された信号を受信して、当該受信信号を周波数変換（ダウンコンバート）して、当該周波数変換後の信号を各系統の復調器Ｄ１、Ｄ２へ出力する。
各系統の復調器Ｄ１、Ｄ２は、各系統の受信変換器Ｃ１、Ｃ２から入力された信号を復調して、当該復調結果の信号としてデータストリーム（ＴＳ）ｂ１、ｂ２を切替部２１へ出力する。
【００２０】
Ｒｂ発振器１２は、ＧＰＳ５１（例えば、ＧＰＳ衛星）から無線により送信された信号を受信して、当該受信信号に同期した（ＧＰＳ５１のクロックに同期した）基準信号ｂ３をクロック変換器１３へ出力する。
クロック変換器１３は、Ｒｂ発振器１２から入力された基準信号ｂ３（本例では、その周波数）に基づいて、当該基準信号ｂ３をレート変換して得られたクロック信号（ＣＬＫ）ｂ４、ｂ５を各系統のクロック信号として切替部２１へ出力する。
【００２１】
切替部２１は、各系統について復調器Ｄ１、Ｄ２からのデータストリーム（ＴＳ）ｂ１、ｂ２及びクロック変換器１３からのクロック信号（ＣＬＫ）ｂ４、ｂ５を入力し、そして、制御部２３により制御されて、複数の系統のうちで選択された１つの系統（選択系）の信号（本例では、データストリーム及びクロック信号）を分配部２２へ出力するように切り替えを行う。選択されなかった系統は、予備の系統（予備系）となる。
【００２２】
ここで、本例では、切替部２１はその内部にデータ保持メモリ３１を有しており、例えば、入力された各系統のデータストリームｂ１、ｂ２のデータをデータ保持メモリ３１に一時的に保持してから読み出して分配部２２へ出力する。この場合に、入力されるクロック信号ｂ４、ｂ５に同期したタイミングで、データ保持メモリ３１のデータ読み出し位置が決定される。
【００２３】
制御部２３は、各系統の状態（例えば、機器の状態）を監視して、選択系に異常があることを検出した場合には、切替部２１を制御して、切替部２１から分配部２２へ出力される信号の系統を、現在の選択系から予備系へ切り替える。また、他の構成例として、外部制御装置を設けて、外部制御装置から制御部２３へ制御信号ｃ３を出力して制御部２３に対する指示を行うことなどにより、切替器１１に対する制御や監視を行うことも可能である。
【００２４】
分配部２２は、切替部２１から入力された選択系の信号を複数（本例では、２つ）に分配して、分配した各信号（伝送信号）ｃ１、ｃ２を各装置（本例では、放送装置４１及び中継装置４２）へ出力する。
放送装置４１は、分配部２２から入力された信号ｃ１を放送する。
中継装置４２は、分配部２２から入力された信号ｃ２を他の装置（例えば、他の放送装置や、他の送信所など）に対して中継する。
【００２５】
以上のように、本例では、２系統以上に分配して伝送された同一の受信信号を系統別の復調器Ｄ１、Ｄ２により復調して、これにより得られた複数の系統のデータストリームｂ１、ｂ２の中から１つの系統のものを選択する切替部２１を備えたデジタルデータの受信装置（本例では、送信所の装置）において、当該受信装置以外の機器や伝送路（本例では、ＧＰＳ５１）からの情報により得られたクロック（本例では、当該受信装置により受信するデータストリームのデータビットレートの情報が含まれているもの）を当該受信装置における切替部２１の動作クロックとして使用する。
【００２６】
このように、本例では、切替部２１で使用するクロック信号として、復調器から出力されるクロック信号ではなく、ＧＰＳ５１からの情報に基づいて受信側（本例では、送信所）におけるＲｂ発振器１２で得られた基準信号ｂ３をクロックレート変換した信号ｂ４、ｂ５を使用する。
また、本例では、送信側（本例では、放送局（演奏所））で使用される周波数の元となるシステム（本例では、ＧＰＳ５１）と同一のシステムを元として受信側（本例では、送信所）で使用される周波数が生成されている。
【００２７】
従って、本例では、例えば、伝送系（選択系）に異常が発生して、受信装置における復調器Ｄ１、Ｄ２からの出力信号が乱れるような場合においても、切替器１１により異常な選択系から正常な予備系へシームレスに切り替えることができ、この結果、後段の放送装置４１や中継装置４２の動作を破綻させずに放送事故を防止することができる。このように、本例では、複数の系統の受信機からの出力信号のうちで、１つの系統の信号を採用するようにシームレスに切り替えることができる。
【００２８】
ここで、本例では、複数の系統として、２つの系統を用いた場合を示したが、他の構成例として、３つ以上の系統が用いられてもよい。
また、本例では、周波数の基準として、ＧＰＳ５１のシステムを用いた場合を示したが、他の構成例として、周波数の安定度が高い任意のシステムが用いられてもよい。
また、本例では、発振器として、Ｒｂ発振器３、１２を用いた場合を示したが、他の構成例として、セシウム発振器などの任意の発振器が用いられてもよい。
また、本例では、受信側として送信所を用いた場合を示したが、他の構成例として、受信側として中継所などの任意のところが用いられてもよい。
【００２９】
なお、本例のデジタルデータ送受信装置では、送信所に設けられた受信側の装置（信号伝送装置の一例）において、複数（本例では、２つ）の系統について備えられた受信変換器Ｃ１、Ｃ２及び復調器Ｄ１、Ｄ２の機能により受信機（信号受信手段）が構成されており、Ｒｂ発振器１２によりＧＰＳ５１からの情報を無線により受信する機能によりクロック情報受信手段が構成されており、Ｒｂ発振器１２及びクロック変換器１３によりクロック信号ｂ４、ｂ５を生成する機能によりクロック信号生成手段が構成されており、生成されたクロック信号ｂ４、ｂ５を用いて切替部２１により複数の系統の受信信号の中から1つの系統の受信信号（本例では、データストリームｂ１、ｂ２）及びそのクロック信号ｂ４、ｂ５を選択するように切り替える機能により切替手段が構成されている。
【００３０】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３１】
【図１】本発明の一実施例に係るデジタルデータ送受信装置の構成例を示す図である。
【図２】背景技術に係るデジタルデータ送受信装置の構成例を示す図である。
【符号の説明】
【００３２】
１・・伝送信号源、  ２・・分配器、  ３、１２・・Ｒｂ発振器、  １１・・切替器、  １３・・クロック変換器、  ２１・・切替部、  ２２・・分配部、  ２３・・制御部、  ３１・・データ保持メモリ、  ４１・・放送装置、  ４２・・中継装置、  ５１・・ＧＰＳ、
Ａ１〜Ａ２・・変調器、  Ｂ１〜Ｂ２・・送信変換器、  Ｃ１〜Ｃ２・・受信変換器、  Ｄ１〜Ｄ２、Ｄ１１〜Ｄ１２・・復調器、
ａ１、ｂ３・・基準信号、  ａ２、ａ３、ｃ１、ｃ２・・伝送信号、  ｂ１、ｂ２・・データストリーム、  ｂ４、ｂ５、ｂ１１、ｂ１２・・クロック信号、  ｃ３・・制御信号、
【図１】
2009105588.tif 000003
【図２】
2009105588.tif 000004